(57)【特許請求の範囲】
【請求項１】
閉鎖性水域内の沖合に陸側へ向け開口する壁体を水底から満潮時水位より高く築き、前記壁体と陸との間の水底に壁体から陸へ向かう方向の溝を穿ち、前記溝内の堆積物を浚渫して前記壁体の開口内に干潮時水位より高く積み込んで干潟とし、前記浚渫及び積み込みのサイクルを定期的に繰り返して干潟を嵩上げし又は拡大することにより壁体内側全域に亘る干潟を造成してなる閉鎖性水域の干潟造成方法。
【請求項２】
請求項１の干潟造成方法において、前記壁体の開口内に前記水底堆積物の流出防止用の堰体を設けてなる閉鎖性水域の干潟造成方法。
【請求項３】
請求項１又は２の干潟造成方法において、前記壁体の開口内に前記水底堆積物を満潮時水位より高く積み込み、満潮時汀線と干潮時汀線との間に開口側へ向けて緩やかに下降する斜面を形成してなる閉鎖性水域の干潟造成方法。
【請求項４】
請求項１から３の何れかの干潟造成方法において、前記溝を階段状に深くなる段丘構造としてなる閉鎖性水域の干潟造成方法。
【請求項５】
請求項１から４の何れかの干潟造成方法において、前記壁体を石積み構造としてなる閉鎖性水域の干潟造成方法。
【発明の詳細な説明】
【０００１】
【発明の属する技術分野】
本発明は閉鎖性水域の干潟造成方法に関し、とくに閉鎖性水域の水底堆積物を用いて干潟を造成する方法に関する。
【０００２】
【従来の技術】
湖沼や周囲を陸地に囲まれた内湾等の閉鎖性水域１は、図４に示すように、穏やかな自然環境に恵まれ古くから漁場等として利用されてきたが、同時に、外部との水の交換が行われにくく水の流れが緩やかで泥や有機物質が蓄積しやすい特性がある。近年は、とくに人口増加による有機物質や塩類の流入、地域開発による砂泥の流出等が大きい後背地を有する閉鎖性水域１において、生物生息環境の悪化、生物種・個体数の減少、漁獲量の減少等の問題が生じている。
【０００３】
閉鎖性水域１の環境悪化の一原因は、水底に堆積した泥や有機物質（以下、水底堆積物ということがある。）６のヘドロ化にあると考えられている。また、水底堆積物６から栄養塩類が溶出すると閉鎖性水域１の水質を悪化させる原因となり得る。このため、閉鎖性水域１の浄化対策として、閉鎖性水域１の水底堆積物の浚渫が実施されている。
【０００４】
また、閉鎖性水域１に積極的に生物の生息環境を創造し、生物種・個体数を増やすため、閉鎖性水域１の沿岸に人工干潟を造成する計画も提案されている。自然界において潮間帯に形成される干潟は水と陸と大気との接触場所として多用な小動物や微生物の生殖場所となっており、鳥類の餌場となるだけでなく、閉鎖性水域１の水質浄化も期待できる。従来の人工干潟は、例えば図３に示すように、閉鎖性水域１の沿岸に沖合に向けて開口する壁体20を設け、その壁体20の沖合側に緩やかな勾配で山砂21等を敷き詰めて造成するのが一般的である。
【０００５】
【発明が解決しようとする課題】
しかし、従来の人工干潟では、波によって砂の流出が起こりやすく、また砂が波に打ち上げられて勾配が急になり遠浅の部分の面積が減少することがあり、長い時間をかけて自然に近い多様な生態系を構築することが難しい問題点がある。また、従来の干潟に敷き詰める山砂21は閉鎖性水域１にある自然の素材とは異なるので、閉鎖系水域１の生物が定着するのに時間がかかる問題点もある。生物種・個体数の増加による閉鎖性水域１の環境保全・回復を図るため、自然に近い多様な生態系を形成できる人工干潟の造成方法の開発が望まれている。
【０００６】
そこで本発明の目的は、多様な生物を早期に且つ持続的に定着させることができる閉鎖性水域の干潟造成方法を提供するにある。
【０００７】
【課題を解決するための手段】
図１の実施例を参照するに、本発明による閉鎖性水域の干潟造成方法は、閉鎖性水域１内の沖合に陸８側へ向け開口する壁体10を水底７から満潮時水位HWLより高く築き、壁体10と陸８との間の水底に壁体10から陸８へ向かう方向の溝15を穿ち、溝15内の堆積物６を浚渫して壁体10の開口11内に干潮時水位LWLより高く積み込んで干潟９とし、浚渫及び積み込みのサイクルを定期的に繰り返して干潟９を嵩上げし又は拡大することにより壁体10の内側全域に亘る干潟９を造成してなるものである。
好ましくは、壁体10の開口11内に水底堆積物７の流出防止用の堰体13を設ける。
【０００８】
【発明の実施の形態】
図１は、閉鎖性水域１内の沖合に島状の干潟９を造成する本発明の実施例を示す。先ず閉鎖性水域１内の沖合に、陸８側へ向けた開口11を有する、例えば水平断面弓形の壁体10を水底７から立ち上げて構築する。潮間帯に干潟９を形成するため、壁体10の高さを満潮時水位HWLより高くする。好ましくは壁体10を石積み構造とし、干潟９の周囲に小動物が生息する目地等の隙間を形成する。但し壁体10は石積み構造に限定されず、例えばコンクリート製又は生物生息環境への影響が少ない材料製とすることができる。
【０００９】
壁体10と陸８との間の水底堆積物６を浚渫し、壁体10の開口11内に奥側から積み込む。浚渫した水底堆積物６の水分が多く崩れやすい場合は、図１（Ｂ）に示すように壁体10の開口11内に水底から壁体内面と対向する堰体13を設け、壁体10と堰体13との間に水底堆積物６を埋め込む。石積みや木杭、粗朶等を用いて空隙を有する堰体13を構築することにより、水の出入りを許しつつ水底堆積物６の流出を防止できる。また、壁体10の開口11が陸８側へ向いており、沖合からの波の進入を壁体10によって抑えることができるので、積み込んだ水底堆積物６は直接波が当たらないため流出も抑制できる。
【００１０】
水底堆積物６の積み込み高さを干潮時水位LWLより高くし、干潮時水位LWLより高い部分を干潟とする。好ましくは図示例のように、壁体10の奥側に水底堆積物６を満潮時水位HWLより高く積み上げ、満潮時汀線と干潮時汀線との間に奥側から開口11側へ向けて緩やかに下降する斜面を形成する。干潟内に冠水しない部分、冠水する砂質部分、冠水するが水はけの良い泥質部分、水はけの悪い泥質部分等のような多様な生物生息環境を作り出すことにより、多様な生物の定着が期待できる。
【００１１】
壁体10と陸８との間の水底から水底堆積物６を浚渫した後も、閉鎖性水域１の水底には時間の経過に応じて再び泥や有機物質が蓄積する。壁体10と陸８との間の水底に再び蓄積した水底堆積物６を適当な期間毎に浚渫し、壁体10の開口11内に積み込むことにより、干潟を嵩上げし、更に面積を拡大することができる。例えば、既設の干潟上に水底堆積物を積み重ねるか、又は既設の干潟に隣接するように水底堆積物を積み込んで干潟の面積を広げることができる。この水底堆積物６の浚渫と積み込みとを繰り返すことにより、壁体10の内側全域に亘る干潟を造成することができる。
【００１２】
本発明による干潟は、閉鎖性水域１の現場の水底堆積物６を用いて造成するので、従来の山砂等を用いて造成する方法に比し、閉鎖性水域１の生物の早期定着が期待できる。また、また本発明による干潟は、水底堆積物６がシルト分を多く含む砂泥であるため、従来の人工干潟では定着対象としていなかったシルト質を生息場所とする生物、例えばゴカイ類、チゴガニ・コメツキガニ・オサガニ等の砂ガニ類、ウナギや泥干潟を利用するマハゼなどの魚類、クルマエビやガザミ等の甲殻類、そしてマハグリ等の二枚貝等の定着が期待できる。
【００１３】
干潟内には、水の流れによって、砂分が多い砂質部分、泥分が多い泥質部分等の多様な生物生息環境が自然に形成され、多様な生物の定着が図れる。泥質部分は上記シルト質を好む生物の生息場所となり、砂質部分は砂に適したアサリ等の二枚貝の生息場所となり、満潮時水位より高い部分はヨシ等の植物の生息場所となり得る。また、壁体を石積み構造として干潟の周囲に目地等の隙間を形成することにより、更に多様な生物の定着が期待できる。石積みの隙間はイシガニ・イソガニ・ベンケイガニ等の生息場所となり、満潮時水位より高い壁体部分はアシバラガニ・アカテガニ等の陸ガニの生息場所となり得る。石積みの隙間は、ウナギ等の穴を好む魚類の生息場所ともなり得る。しかも本発明は、開口を陸側へ向けた壁体内に干潟を形成するので、波による砂泥の流出等を抑え、自然に近い多様な生物の持続的な定着を図ることができる。
【００１５】
図１の実施例に示すように、閉鎖性水域１の水底７に陸８から壁体10へ向かう方向の溝15を穿ち、その溝15内の堆積物６を定期的に浚渫して壁体10の開口11内に積み込むサイクルを繰り返すことにより干潟９を造成する。同図の矢印に示すように、堆積物を浚渫した後の溝15には波浪や潮汐等によって周囲の水底堆積物６が落ち込み、経時的になだらかな水底が回復する。例えば２〜３年毎に溝15を浚い、水底堆積物６を壁体10の開口11内に積み込む。この方法によれば、陸８と壁体10との間の水底全域から浚渫する方法に比し、浚渫作業の効率化が図れる。溝15の大きさは、例えば陸８から壁体10へ向かう方向の溝15の長さを50ｍとした場合、溝15の幅を20ｍ、深さを３ｍ程度とすることができる。
【００１６】
また図２（Ａ）及び（Ｂ）は、閉鎖性水域１の水底７に穿つ溝15を、階段状に深くなる段丘構造とした実施例を示す。図示例は３段の段丘構造16a、16b、16cを有する溝15を示すが、段丘の数及び形状は図示例に限定されない。波浪や潮汐等により溝15内の段丘16aに落ち込んだ水底堆積物６は、更に波浪や潮汐等によって一層深い段丘16bから最も深い段丘16cへ落ち込み、最深段丘16cに集められる。すなわち、段丘構造の最深段丘16cは、落ち込んだ水底堆積物６の集約場所となる。この最深段丘16cから水底堆積物６を浚渫する方法によれば、例えば図２（Ｃ）のように溝15の全体を浚う方法に比し、浚渫作業の一層の効率化を図ることができる。
こうして本発明の目的である「多様な生物を早期に且つ持続的に定着させることができる閉鎖性水域の干潟造成方法」の提供を達成できる。
【００１７】
【発明の効果】
以上説明したように、本発明による閉鎖性水域の干潟造成方法は、閉鎖性水域内の沖合に陸側へ向け開口する水平断面弓形の壁体を水底から満潮時水位より高く築き、壁体と陸との間の水底に壁体から陸へ向かう方向の溝を穿ち、その溝内の堆積物を浚渫して壁体の開口内に干潮時水位より高く積み込んで干潟とし、その浚渫及び積み込みのサイクルを定期的に繰り返して干潟を嵩上げし又は拡大することにより壁体内側全域に亘る干潟を造成するので、次の顕著な効果を奏する。
【００１８】
（イ）水底堆積物の浚渫による閉鎖性水域の浄化と共に、水底堆積物を用いた干潟の形成により閉鎖性水域に多様な生物の定着を図り、閉鎖性水域の環境改善に寄与できる。
（ロ）開口を陸側へ向けた壁体内に干潟を形成するので、波による砂泥の流出等を抑え、多様な生物の持続的な定着を図れる。
（ハ）閉鎖性水域の水底堆積物を用いて干潟を造成するので、閉鎖性水域の生物の早期定着が期待できる。
（ニ）シルト分を多く含む水底堆積物を用いて干潟を造成するので、シルト質を生息場所とする生物の定着が期待できる。
（ホ）閉鎖性水域の水底に穿った溝から浚渫する方法により、水底全域から浚渫する方法に比し、水底堆積物の浚渫作業の効率化を図ることができる。
（ヘ）閉鎖性水域の水底に階段状に深くなる溝を穿つことにより、水底堆積物の浚渫作業の一層の効率化を図ることができる。
【図面の簡単な説明】
【図１】は、本発明の一実施例の説明図である。
【図２】は、水底堆積物の浚渫方法の説明図である。
【図３】は、従来の干潟造成方法の説明図である。
【図４】は、閉鎖性水域の説明図である。
【符号の説明】
１…閉鎖性水域          ２…湖沼
３…閉鎖性海域          ４…外海
６…水底堆積物          ７…水底
８…陸                  ９…人工干潟
10…壁体                11…開口
13…堰体                15…溝
16…段丘                20…壁体
21…山砂
【図１】
0004353347.tif 000002
【図２】
0004353347.tif 000003
【図３】
0004353347.tif 000004
【図４】
0004353347.tif 000005